(57)【要約】【課題】注射器本体から蓋体を容易に抜去させることができる自己注射補助具を提供する。【解決手段】注射器を保持し注射器の注射針を覆う蓋体を抜去する注射補助具であって、注射器を保持する本体と、本体に保持された注射器を覆い本体に対して注射器の中心軸線に沿う軸線方向と交差する方向に回転しながら、注射器を軸線方向の蓋体から離れる方向に移動させて注射器から蓋体を抜去する覆い部材と、を備え、覆い部材は本体の外周面に設けられた螺旋溝に係合して回転し、注射器を本体に対して相対的に移動させる。【選択図】図１
2018196648.tif 000002
【特許請求の範囲】
【請求項１】
注射器を保持し前記注射器の注射針を覆う蓋体を抜去する注射補助具であって、
前記注射器を保持する本体と、
前記本体に保持された前記注射器を覆い前記本体に対して前記注射器の中心軸線に沿う軸線方向と交差する方向に回転しながら、前記注射器を前記軸線方向の前記蓋体から離れる方向に移動させて前記注射器から前記蓋体を抜去する覆い部材と、を備えた、
ことを特徴とする自己注射補助具。
【請求項２】
前記覆い部材は前記本体の外周面に設けられた螺旋溝に係合して回転し、前記注射器を前記本体に対して相対的に移動させる、
ことを特徴とする請求項１に記載の自己注射補助具。
【請求項３】
前記覆い部材はその一部又は全部が透明材料により形成されている、
ことを特徴とする請求項１又は２に記載の自己注射補助具。
【請求項４】
注射する際に注射体と接触する当て具を更に備え、前記当て具は、前記注射針を覆う状態と前記注射針を露出した状態の間で前記本体に移動可能に設けられている、
ことを特徴とする請求項１ないし３のいずれか１項に記載の自己注射補助具。
【発明の詳細な説明】
【技術分野】
【０００１】
本発明は、自己注射補助具に関する。
【背景技術】
【０００２】
注射器内部に充填された治療薬を患者自らが注射する自己注射を補助する自己注射補助具であって、注射器が、外筒と、該外筒内を軸方向に移動可能な内筒と、外筒の一端に取り付けられたつばもとと、外筒の他端から延在する小径部に接続される注射針と、該注射針を覆い小径部に嵌合される針キャップとを備え、自己注射補助具が、注射器を固定する本体と、該本体に対して開閉自在である透明なカバーとを備え、該カバーは、注射器が正しい位置で本体に固定されている場合に、本体に対して閉鎖およびロックされることができ、自己注射補助具がさらに、注射器の針キャップを抜去するための針キャップ抜去機構部と、本体に対するカバーの閉鎖動作に応じて、針キャップ抜去機構部を動作させる動作機構部とを備える自己注射補助具が知られている（特許文献１）。
【先行技術文献】
【特許文献】
【０００３】
【特許文献１】特開２０１１−９８１３３号公報
【発明の概要】
【発明が解決しようとする課題】
【０００４】
本発明は、注射器本体から蓋体を容易に抜去させることができる自己注射補助具を提供することを目的とする。
【課題を解決するための手段】
【０００５】
前記課題を解決するために、請求項１に記載の自己注射補助具は、
注射器を保持し前記注射器の注射針を覆う蓋体を抜去する注射補助具であって、
前記注射器を保持する本体と、
前記本体に保持された前記注射器を覆い前記本体に対して前記注射器の中心軸線に沿う軸線方向と交差する方向に回転しながら、前記注射器を前記軸線方向の前記蓋体から離れる方向に移動させて前記注射器から前記蓋体を抜去する覆い部材と、を備えた、
ことを特徴とする。
【０００６】
請求項２に記載の発明は、請求項１に記載の自己注射補助具において、
前記覆い部材は前記本体の外周面に設けられた螺旋溝に係合して回転し、前記注射器を前記本体に対して相対的に移動させる、
ことを特徴とする。
【０００７】
請求項３に記載の発明は、請求項１又は２に記載の自己注射補助具において、
前記覆い部材はその一部又は全部が透明材料により形成されている、
ことを特徴とする。
【０００８】
請求項４に記載の発明は、請求項１ないし３のいずれか１項に記載の自己注射補助具において、
注射する際に注射体と接触する当て具を更に備え、前記当て具は、前記注射針を覆う状態と前記注射針を露出した状態の間で前記本体に移動可能に設けられている、
ことを特徴とする。
【発明の効果】
【０００９】
請求項１記載の発明によれば、本体に対して回転しながら注射器を蓋体から離れる方向に移動させて注射器から蓋体を抜去する覆い部材を備えていない構成に比べて、注射器本体から蓋体を容易に抜去させることができることができる。
【００１０】
請求項２に記載の発明によれば、覆い部材が本体の外周面に設けられた螺旋溝に係合して回転する構成を有しない場合に比べて、覆い部材を容易に回転させることができる。
【００１１】
請求項３に記載の発明によれば、覆い部材を回転させた場合にも注射器のピストンの位置を外部から視認することができる。
【００１２】
請求項４記載の発明によれば、注射針を覆う状態と注射針を露出した状態の間で本体に移動可能に設けられている当て具を有しない構成に比べて、安全に操作することができる。
【図面の簡単な説明】
【００１３】
【図１】（ａ）は注射器がセットされた自己注射補助具の全体構成を示す斜視図、（ｂ）はセットされた注射器のキャップを除去する状態の自己注射補助具を示す斜視図、（ｃ）はキャップが抜去され注射する状態の自己注射補助具を示す斜視図である。
【図２】自己注射補助具の構成を示す分解斜視図である。
【図３】（ａ）は第１本体部の平面図、（ｂ）は第１本体部の底面図、（ｃ）は第２本体部の平面図である。
【図４】（ａ）は覆い部材を示す斜視図、（ｂ）は覆い部材の内面側を示す平面図、（ｃ）は覆い部材の溝部を示す側面図である。
【図５】（ａ）は自己注射補助具の平面図、（ｂ）は自己注射補助具の縦断面図である。
【図６】（ａ）は注射器がセットされた自己注射補助具を示す平面図、（ｂ）は注射器がセットされた自己注射補助具を示す縦断面図である。
【図７】（ａ）は注射器がセットされキャップが抜去された自己注射補助具を示す平面図、（ｂ）は注射器がセットされキャップが抜去された自己注射補助具を示す底面図、（ｃ）は注射器がセットされキャップが抜去された自己注射補助具を示す正面図、（ｄ）は注射器がセットされキャップが抜去された自己注射補助具を示す縦断面図である。
【図８】（ａ）はキャップが抜去され注射できる状態の自己注射補助具を示す平面図、（ｂ）はキャップが抜去され注射できる状態の自己注射補助具を示す縦断面図である。
【図９】（ａ）は当て具が押し込まれ注射できる状態の自己注射補助具を示す平面図、（ｂ）は当て具が押し込まれ注射できる状態の自己注射補助具を示す正面図である。
【図１０】注射器の縦断面図である。
【発明を実施するための形態】
【００１４】
次に図面を参照しながら、本発明の実施形態の具体例を説明するが、本発明は以下の実施形態に限定されるものではない。
尚、以下の図面を使用した説明において、図面は模式的なものであり、各寸法の比率等は現実のものとは異なることに留意すべきであり、理解の容易のために説明に必要な部材以外の図示は適宜省略されている。
【００１５】
（１）自己注射補助具の全体構成と動作
図１（ａ）は注射器１００がセットされた自己注射補助具１の全体構成を示す斜視図、（ｂ）はセットされた注射器１００のキャップ１１０を除去する状態の自己注射補助具１を示す斜視図、（ｃ）はキャップ１１０が抜去され注射する状態の自己注射補助具１を示す斜視図、図１０は注射器１００の縦断面図である。以下、図面を参照しながら、本実施形態に係る自己注射補助具１の全体構成と動作について説明する。
【００１６】
自己注射補助具１は、注射器１００を保持する本体１０と、本体１０に保持された注射器１００を覆う覆い部材２０と、本体１０に移動可能に設けられた当て具３０と、を備えて構成されている。
【００１７】
注射器１００は、図１０に示すように、特定の治療薬が予め充填された外筒１０１と、外筒１０１内を軸方向に移動可能なピストン１０２と、外筒１０１の前端から突出する小径部１０４に接続され外筒１０１内部と連通する通路を有する注射針１２０と、注射針１２０を覆った状態で外筒１０１の前端との間に間隙Ｇを有して小径部１０４に嵌合されるキャップ１１０とを備えて構成されている。また、外筒１０１の後端には外筒１０１の中心軸線と交差する方向に突出する鍔部１０３が形成されている。
【００１８】
図１（ａ）に示すように、本体１０の上方が開口した状態で、注射器１００を本体１０にセットして、図１（ｂ）に示すように、覆い部材２０を本体１０に対して回転させると注射器１００は覆い部材２０の回転に伴う移動によって本体１０内で注射器１００の中心軸線方向にスライド移動する。係る注射器１００のスライド移動によって、注射器１００の注射針１２０を覆うキャップ１１０は、注射器１００から抜去される。
【００１９】
キャップ１１０が注射器１００から抜去されると、注射針１２０が露出し、操作者が当て具３０を自己に押し当てると、図１（ｃ）に示すように、注射針１２０が当て具３０から突出して自己注射できる状態になる。
【００２０】
（２）自己注射補助具の構成
図２は自己注射補助具の構成を示す分解斜視図、図３（ａ）は第１本体部１０Ａの平面図、（ｂ）は第１本体部１０Ａの底面図、（ｃ）は第２本体部１０Ｂの平面図、図４（ａ）は覆い部材を示す斜視図、（ｂ）は覆い部材の内面側を示す平面図、（ｃ）は覆い部材の溝部を示す側面図、図５（ａ）は自己注射補助具１の平面図、（ｂ）は自己注射補助具１の縦断面図である。以下、図面を参照しながら、自己注射補助具１の構成について説明する。
【００２１】
自己注射補助具１は、図２に示すように、上下に分割された第１本体部１０Ａと第２本体部１０Ｂが合わさって構成された本体１０と、本体１０に回転可能に取り付けられ本体１０に保持された注射器１００を覆う覆い部材２０と、バネ３３で本体１０の前端側に突出するように付勢され本体１０に対して移動可能に設けられた当て具３０と、を備えて構成されている。
【００２２】
本体１０は、図２に示すように、断面視で半円状で本体１０の底部を形成する第１本体部１０Ａと断面視で半円状で本体１０の上部を形成する第２本体部１０Ｂが合さった全体が断面視で円形状をなす筒体であり、上方が開口して、注射器１００の外筒１０１を受け入れて保持する収容部１１を有する。
【００２３】
図３（ａ）に示すように、第１本体部１０Ａに形成される収容部１１Ａには、第１本体部１０Ａの底部１０Ａａから、規制板１２と、先端部の内側に突出する鉤部１３ａを有する爪部１３とが立設され、セットされる注射器１００の外筒１０１を注射器１００の中心軸線と交差する方向を位置決めしながらスナップフィットで固定する。
【００２４】
図３（ｂ）に示すように、第１本体部１０Ａの外側面１０Ａｂには螺旋溝１５が形成されている。螺旋溝１５には、覆い部材２０が回転可能に嵌まり込み、螺旋溝１５に沿って回転することで、本体１０に対してセットされた注射器１００の中心軸線方向に移動する。
第１本体部１０Ａの外周面１０Ａｂの一端には、外周面１０Ａｂから突出して注射器１００の中心軸線方向に延在するリブ１６が設けられている。リブ１６は、後述する覆い部材２０の内面２０ａに注射器１００の中心軸線方向に延びるように形成された溝２３と嵌り合って、覆い部材２０を回転操作してキャップ１１０を注射器１００から抜去させた状態で覆い部材２０の移動を停止させるように作用する。
【００２５】
図３（ｃ）に示すように、第２本体部１０Ｂに形成される収容部１１Ｂの注射器１００の中心軸線に沿う軸線方向の一端側には、注射器１００のキャップ１１０と外筒１０１の小径部１０４との間隙Ｇに嵌まり込む仕切り板１４が形成されている。仕切り板１４は、覆い部材２０を回転操作して注射器１００を注射針１２０と反対方向に移動させる際に、キャップ１１０の移動を阻止することで、キャップ１１０を注射器１００から抜去させるように作用する。
【００２６】
覆い部材２０は、図４（ａ）に示すように、全体が断面視で円形状をなす筒体であり、一方が開口して、本体１０の外周面１０Ａｂを覆うように本体１０に回転可能に取り付けられる。図４（ａ）、（ｂ）に示すように、内面２０ａには、突起部２１が形成され、本体１０の外周面１０Ａｂに設けられた螺旋溝１５に係合することで、本体１０に対して回転可能に取り付けられる。覆い部材２０は、本体１０に対して螺旋溝１５に沿って回転することで、注射器１００の中心軸線方向にスライド移動する。
【００２７】
図４（ｃ）に示すように、覆い部材２０の内面２０ａの一端側には注射器１００の外筒１０１の一端（注射針１２０と反対側）に形成された鍔部１０３に嵌まり合う溝部２２が形成されている。溝部２２は、覆い部材２０の内面２０ａから相対して立設した壁部２２ａにより形成され、覆い部材２０を回転操作して本体１０に対してスライド移動させる際に、注射器１００を覆い部材２０と一体的に中心軸線方向にスライド移動させる。
【００２８】
このように構成される覆い部材２０は、透明材料で形成されている。透明材料としては、特に制限されず、各種公知の任意の熱可塑性樹脂が使用できる。具体的には、例えば、ポリスチレン樹脂（ＰＳ）、高衝撃ポリスチレン樹脂（ＨＩＰＳ）、ポリカーボネート樹脂（ＰＣ）、ポリエチレンテレフタレート樹脂（ＰＥＴ）等が挙げられる。覆い部材２０を透明材料で形成することで、覆い部材２０を回転操作する際に、本体１０の収容部１１に保持された注射器１００を外部から容易に視認することができる。
【００２９】
当て具３０は、平坦面３１とスライド案内部３２からなり、本体１０の前端から突出して本体１０に対してスライド移動可能に支持されている。当て具３０の平坦面３１の中央部には本体１０にセットされた注射器１００のキャップ１１０が挿通する開口３１ａが形成され、キャップ１１０が抜去された状態では、注射器１００の注射針１２０が開口３１ａから突出できるようになる。
【００３０】
当て具３０は、図５（ｂ）に示すように、本体１０に対して前端側に突出するようにバネ３３で付勢され（図中  矢印参照）スライド案内部３２の一端に形成されたストッパ３２ａが本体１０に当接して本体１０から脱落することなく、キャップ１１０が抜去された状態では、注射針１２０の先端が当て具３０から外側に突出しないようになっている。そして、操作者が、当て具３０の平坦面３１を自己に押し当てて押圧することで、当て具３０は本体１０内にスライド移動して注射針１２０が開口３１ａから突出できる状態になる。
これにより、操作者は自己注射補助具１を安定して保持した状態で使用することができる。
【００３１】
（３）キャップの抜去動作
図６（ａ）は注射器１００がセットされた自己注射補助具１を示す平面図、（ｂ）は注射器１００がセットされた自己注射補助具１を示す縦断面図、図７（ａ）は注射器１００がセットされキャップ１１０が抜去された自己注射補助具１を示す平面図、（ｂ）は注射器１００がセットされキャップ１１０が抜去された自己注射補助具１を示す底面図、（ｃ）は注射器１００がセットされキャップ１１０が抜去された自己注射補助具１を示す正面図、（ｄ）は注射器１００がセットされキャップ１１０が抜去された自己注射補助具１を示す縦断面図、図８（ａ）はキャップ１１０が抜去され注射できる状態の自己注射補助具１を示す平面図、（ｂ）はキャップ１１０が抜去され注射できる状態の自己注射補助具１を示す縦断面図、図９（ａ）は当て具３０が押し込まれ注射できる状態の自己注射補助具１を示す平面図、（ｂ）は当て具３０が押し込まれ注射できる状態の自己注射補助具１を示す正面図である。以下、図面を参照しながら自己注射補助具１にセットされた注射器１００のキャップ１１０を抜去する動作にについて説明する。
【００３２】
図６に示すように、本体１０の上方を開口した状態で、注射器１００を収容部１１にセットする。注射器１００の収容部１１へのセットは、キャップ１１０と外筒１０１の小径部１０４との間隙Ｇ（図１０  参照）を本体１０の前端側に形成された仕切り板１４に嵌め込み、外筒１０１の後端に形成された鍔部１０３を覆い部材２０の溝部２２に嵌め込んで、外筒１０１を本体１０の規制板１２で規制しながら爪部１３に嵌め込むことで行う。
これにより、注射器１００は、本体１０の収容部１１に規制板１２で注射器１００の中心軸線と交差する方向を位置決めした状態で、注射器１００の軸線方向にスライド移動可能に爪部１３でスナップフィット固定される。
【００３３】
本体１０の収容部１１に注射器１００をセットした状態で、図７に示すように、覆い部材２０を回転操作する（図中  矢印Ｒ１参照）と、覆い部材２０は第１本体部１０Ａの外側面１０Ａｂに設けられた螺旋溝１５に沿って回転しながら本体１０に対して本体１０の後端側へ移動する（図中  矢印Ｒ２参照）。
【００３４】
覆い部材２０の移動に伴って、注射器１００は外筒１０１の鍔部１０３が覆い部材２０の溝部２２に嵌まり込んでいるために覆い部材２０と一体的にスライド移動する（図中  矢印Ｒ３参照）。一方、注射針１２０を覆うキャップ１１０は、本体１０の前端側で仕切り板１４によって移動を阻止されているために注射器１００のスライド移動に伴って外筒１０１の前端部から抜去される。
このように、キャップ１１０で注射針１２０が覆われた注射器１００を自己注射補助具１の本体１０にセットして、操作者が覆い部材２０を回転させるという簡単な操作により注射器１００からキャップ１１０を容易に抜去することができる。
【００３５】
本体１０の収容部１１内で注射器１００がスライド移動してキャップ１１０が抜去されると、図８に示すように注射針１２０が露出して自己注射できる状態になるが、当て具３０が本体１０に対してバネ３３で前端から突出するように付勢されているために、注射針１２０は当て具３０から外側に突出しないようになっている。
そして、操作者が、当て具３０の平坦面３１を自己に押し当てて押圧する（図９中  矢印Ｒ４参照）ことで、図９に示すように、当て具３０は本体１０内にスライド移動して注射針１２０が開口３１ａから突出して自己注射できる状態になる。
【符号の説明】
【００３６】
１・・・自己注射補助具
１０・・・本体
１０Ａ・・・第１本体部
１１、１１Ａ、１１Ｂ・・・収容部
１２・・・規制板
１３・・・爪部
１０Ｂ・・・第２本体部
１４・・・仕切り板
１５・・・螺旋溝
２０・・・覆い部材
２１・・・突起部
２２・・・溝部
２２ａ・・・壁部
３０・・・当て具
１００・・・注射器
１１０・・・キャップ
１２０・・・注射針
【図１】
2018196648.tif 000003
【図２】
2018196648.tif 000004
【図３】
2018196648.tif 000005
【図４】
2018196648.tif 000006
【図５】
2018196648.tif 000007
【図６】
2018196648.tif 000008
【図７】
2018196648.tif 000009
【図８】
2018196648.tif 000010
【図９】
2018196648.tif 000011
【図１０】
2018196648.tif 000012